(57)【要約】【課題】分割した境界付近の画像を劣化させずに良好な画像を出力することができる画像処理装置および画像処理方法を提供すること。【解決手段】画像読み取り装置から読み取った画像を構成する各々のラインに含まれる画像データからなるライン画像データを記憶媒体に一時的に記憶させる画像データ一時記憶手段１０５と、画像データ一時記憶手段１０５によって記憶されたライン画像データを所定の分割数に分割する画像データ分割手段１２０と、画像データ分割手段１２０によって分割された分割ライン画像データおよび分割ライン画像データの端と隣接する周辺画素を読み出す画像データ読出手段１４０と、画像データ読出手段１４０によって読み出された周辺画素に基づいて読み出された分割ライン画像データをフィルタ処理するフィルタ処理手段１５０とを備えるように構成する。【選択図】　図２
2004134824.tif 000002
【特許請求の範囲】
【請求項１】
画像読み取り装置から読み取って得られた画素を含む画像データを一時的に記憶し、記憶された画像データをフィルタ処理する画像処理装置において、前記画像読み取り装置から読み取った画像を構成する各々のラインに含まれる画像データからなるライン画像データを記憶媒体に一時的に記憶させる画像データ一時記憶手段と、前記画像データ一時記憶手段によって記憶されたライン画像データを所定の分割数に分割する画像データ分割手段と、前記画像データ分割手段によって分割された分割ライン画像データおよび前記分割ライン画像データの端と隣接する周辺画素を読み出す画像データ読出手段と、前記画像データ読出手段によって読み出された周辺画素に基づいて前記読み出された分割ライン画像データをフィルタ処理するフィルタ処理手段とを備えたことを特徴とする画像処理装置。
【請求項２】
前記画像処理装置は、前記画像読み取り装置が読み取る原稿の原稿サイズまたは記憶媒体の記憶容量に応じて前記分割数を決定する分割数決定手段を備えたことを特徴とする請求項１に記載の画像処理装置。
【請求項３】
画像読み取り装置から読み取って得られた画素を含む画像データを一時的に記憶し、記憶された画像データをフィルタ処理する画像処理方法において、前記画像読み取り装置から読み取った画像を構成する各々のラインに含まれる画像データからなるライン画像データを記憶媒体に一時的に記憶させる画像データ一時記憶ステップと、前記画像データ一時記憶手段によって記憶されたライン画像データを所定の分割数に分割する画像データ分割ステップと、前記画像データ分割手段によって分割された分割ライン画像データおよび前記分割ライン画像データの端と隣接する周辺画素を読み出す画像データ読出ステップと、前記画像データ読出ステップによって読み出された周辺画素に基づいて前記読み出された分割ライン画像データをフィルタ処理するフィルタ処理ステップとを実行することを特徴とする画像処理方法。
【請求項４】
前記画像処理方法は、前記画像読み取り装置が読み取る原稿の原稿サイズまたは記憶媒体の記憶容量に応じて前記分割数を決定する分割数決定ステップをさらに実行することを特徴とする請求項３に記載の画像処理方法。
【発明の詳細な説明】
【０００１】
【発明の属する技術分野】
本発明は、画像を読み取り処理を行う画像処理装置および画像処理方法を実行するプログラムを格納したコンピュータに関する。
【０００２】
【従来の技術】
従来の画像処理装置は、原稿画像を読み取って得られた画像データを画像記憶手段に一時格納する場合には画像を構成する各々のラインに含まれる画像データからなるライン画像データを格納し、格納されたライン画像データを画像記憶手段から読み出す場合には、各々のライン画像データを分割し、分割された各々の分割ライン画像データをライン画像データとして読み出し、読み出されたライン画像データに所定の画像処理を施す手段を備えていた（例えば、特許文献１参照。）。
【０００３】
【特許文献１】
特開２００２−１２５１０５号公報（特許請求の範囲および２７段落目、図１）
【０００４】
【発明が解決しようとする課題】
しかしながら、このような従来の画像処理装置では、ライン画像データを分割するため、画像を構成する画素を加重平均フィルタ処理などの画像処理を行うとき、すなわち、画像処理の対象となる画素である対象画素を対象画素の周辺画素に基づいて画像処理を行うとき、分割した境界付近の対象画素の周辺画素に基づいて対象画素を画像処理をできなくなり、分割した境界付近の画像が劣化してしまうという問題があった。
本発明は、このような従来の問題を解決するためになされたもので、分割した境界付近の画像を劣化させずに良好な画像を出力することができる画像処理装置および画像処理方法を提供するものである。
【０００５】
【課題を解決するための手段】
以上の点を考慮して、請求項１に係る発明は、画像読み取り装置から読み取って得られた画素を含む画像データを一時的に記憶し、記憶された画像データをフィルタ処理する画像処理装置において、前記画像読み取り装置から読み取った画像を構成する各々のラインに含まれる画像データからなるライン画像データを記憶媒体に一時的に記憶させる画像データ一時記憶手段と、前記画像データ一時記憶手段によって記憶されたライン画像データを所定の分割数に分割する画像データ分割手段と、前記画像データ分割手段によって分割された分割ライン画像データおよび前記分割ライン画像データの端と隣接する周辺画素を読み出す画像データ読出手段と、前記画像データ読出手段によって読み出された周辺画素に基づいて前記読み出された分割ライン画像データをフィルタ処理するフィルタ処理手段とを備えた構成を有している。
この構成により、分割ライン画像データの端と隣接する周辺画素を読み出してフィルタ処理するため、分割した境界付近の画像を劣化させずに良好な画像を出力することができる。
【０００６】
また、請求項２に係る発明は、画像読み取り装置から読み取って得られた画素を含む画像データを一時的に記憶し、記憶された画像データをフィルタ処理する画像処理装置において、前記画像読み取り装置から読み取った画像を構成する各々のラインに含まれる画像データからなるライン画像データを記憶媒体に一時的に記憶させる画像データ一時記憶手段と、前記画像データ一時記憶手段によって記憶されたライン画像データを所定の分割数に分割する画像データ分割手段と、前記画像データ分割手段によって分割された分割ライン画像データおよび前記分割ライン画像データの端と隣接する周辺画素を読み出す画像データ読出手段と、前記画像データ読出手段によって読み出された周辺画素に基づいて前記読み出された分割ライン画像データをフィルタ処理するフィルタ処理手段とを備え、さらに、前記画像読み取り装置が読み取る原稿の原稿サイズまたは記憶媒体の記憶容量に応じて前記分割数を決定する分割数決定手段を備えた構成を有している。
この構成により、画像読み取り装置が読み取る原稿の原稿サイズまたは記憶媒体の記憶容量に応じて分割するため、適正かつ良好な画像を出力することができる。
【０００７】
また、請求項３に係る発明は、画像読み取り装置から読み取って得られた画素を含む画像データを一時的に記憶し、記憶された画像データをフィルタ処理する画像処理方法において、前記画像読み取り装置から読み取った画像を構成する各々のラインに含まれる画像データからなるライン画像データを記憶媒体に一時的に記憶させる画像データ一時記憶ステップと、前記画像データ一時記憶手段によって記憶されたライン画像データを所定の分割数に分割する画像データ分割ステップと、前記画像データ分割手段によって分割された分割ライン画像データおよび前記分割ライン画像データの端と隣接する周辺画素を読み出す画像データ読出ステップと、前記画像データ読出ステップによって読み出された周辺画素に基づいて前記読み出された分割ライン画像データをフィルタ処理するフィルタ処理ステップとを実行する方法を有している。
この方法により、分割ライン画像データの端と隣接する周辺画素を読み出してフィルタ処理するため、分割した境界付近の画像を劣化させずに良好な画像を出力することができる。
【０００８】
また、請求項４に係る発明は、画像読み取り装置から読み取って得られた画素を含む画像データを一時的に記憶し、記憶された画像データをフィルタ処理する画像処理方法において、前記画像読み取り装置から読み取った画像を構成する各々のラインに含まれる画像データからなるライン画像データを記憶媒体に一時的に記憶させる画像データ一時記憶ステップと、前記画像データ一時記憶手段によって記憶されたライン画像データを所定の分割数に分割する画像データ分割ステップと、前記画像データ分割手段によって分割された分割ライン画像データおよび前記分割ライン画像データの端と隣接する周辺画素を読み出す画像データ読出ステップと、前記画像データ読出ステップによって読み出された周辺画素に基づいて前記読み出された分割ライン画像データをフィルタ処理するフィルタ処理ステップとを実行し、前記画像読み取り装置が読み取る原稿の原稿サイズまたは記憶媒体の記憶容量に応じて前記分割数を決定する分割数決定ステップをさらに実行する方法を有している。
この方法により、画像読み取り装置が読み取る原稿の原稿サイズまたは記憶媒体の記憶容量に応じて分割するため、適正かつ良好な画像を出力することができる。
【０００９】
【発明の実施の形態】
以下、図面を参照して本発明の実施の形態について詳細に説明する。
図１は、本発明の実施の形態に係る画像処理装置のブロック構成図である。図１に示すように、画像処理装置１００は、センサボードユニット１０１、画像処理プロセッサ１０２、圧縮伸張コントローラ１０３、メモリアクセスコントローラ１０４、画像データ一時記憶手段１０５、画像データ変換部１０６、ＦＡＸ制御ユニット１０７、プロセスコントローラ１０８、操作部１０９、およびシステムコントローラ１１０を含むように構成される。なお、画像処理装置１００は、コピー、ＦＡＸ、プリンタ、スキャナなどのＰＣ周辺装置を統合化して広幅用紙に対応した複合機（ＭＦＰ：　ＭｕｌｔｉＦｕｎｃｔｉｏｎ　Ｐｅｒｉｐｈｅｒａｌ）などに設けられる。
【００１０】
プロセスコントローラ１０８およびシステムコントローラ１１０は、コピー機能、ＦＡＸ機能、プリンタ機能などを処理するジョブの制御、管理を行うようになっている。プロセスコントローラ１０８は、主に画像データを処理するジョブの制御、管理を行い、システムコントローラ１１０は、画像処理装置のシステム全体を処理するジョブの制御、管理を行うようになっている。
【００１１】
センサボードユニット１０１は、ＣＣＤ（Ｃｈａｒｇｅｄ　Ｃｏｕｐｌｅｄ　Ｄｅｖｉｃｅ）を含む受光素子やアナログデジタル変換器などを有している。センサボードユニット１０１は、画像読み取り装置１０が光学的に読み取った原稿の像を含む反射光をミラーおよびレンズを用いて受光素子に集光させ、集光された反射光をデジタルの画像データにアナログデジタル変換させ、変換された画像データを画像処理プロセッサ１０２に出力するようになっている。
【００１２】
画像処理プロセッサ１０２には、センサボードユニット１０１によって出力された画像データが入力され、画像処理プロセッサ１０２は、入力された画像データにシェーディングなど補正処理を施し、補正処理を施した画像データを圧縮伸張コントローラ１０３に出力するようになっている。また、画像処理プロセッサ１０２は、圧縮伸張コントローラ１０３によって出力された画像データが入力され、入力された画像データにγ補正など濃度補正処理や階調補正処理を施して画像データ変換部１０６に出力し、もしくは、ＦＡＸ機能を用いて送信するときには、ＦＡＸ制御ユニット１０７に出力するようになっている。
【００１３】
圧縮伸張コントローラ１０３は、センサボードユニット１０１、画像処理プロセッサ１０２に画像データを相互に転送し、また、圧縮伸張コントローラ１０３は、システムコントローラ１１０にシリアルバスを介して、プロセスコントローラ１０８にパラレルバスを介して、画像データを相互に転送するようになっている。
圧縮伸張コントローラ１０３には、画像処理プロセッサ１０２によって出力された画像データが入力され、圧縮伸張コントローラ１０３は、入力された画像データの圧縮を制御し、圧縮された画像データの伸張を制御するようになっている。
【００１４】
メモリアクセスコントローラ１０４には、圧縮伸張コントローラ１０３およびシステムコントローラ１１０によって出力された画像データが入力され、メモリアクセスコントローラ１０４は、入力された画像データをシステムコントローラ１１０および画像データ一時記憶手段１０５に出力するようになっている。
また、メモリアクセスコントローラ１０４には、パソコン（ＰＣ）４０によって出力される画像データが入力され、メモリアクセスコントローラ１０４は、入力された画像データをシステムコントローラ１１０および画像データ一時記憶手段１０５に出力するようになっている。
【００１５】
図２は、本発明の実施の形態に係る画像処理装置のブロック構成の詳細図である。
システムコントローラ１１０は、画像データ分割手段１２０、画像データ読出手段１４０、および分割数決定手段１６０を備えた構成を有している。なお、図示されているシステムコントローラ１１０の構成は一例であり、画像データ分割手段１２０、画像データ読出手段１４０、および分割数決定手段１６０は、圧縮伸張コントローラ１０３またはプロセスコントローラ１０８に配備されてもよく、これらの手段を制御可能な部位であれば如何なる部位に配備されてもよい。
【００１６】
画像データ一時記憶手段１０５には、画像読み取り装置１０から読み取った画像を構成する各々のラインに含まれる画像データからなるライン画像データがメモリアクセスコントローラ１０４を経由して入力され、画像データ一時記憶手段１０５は、入力されたライン画像データを記憶媒体に一時的に記憶させるようになっている。なお、本発明によれば、記憶媒体は、ＲＡＭ（Ｒａｎｄｏｍ　Ａｃｃｅｓｓ　Ｍｅｍｏｒｙ）など、一時的に記憶する手段であれば如何なるものでもよい。
【００１７】
画像データ分割手段１２０は、画像データ一時記憶手段１０５によって記憶されたライン画像データを所定の分割数に分割するようになっている。なお、本発明によれば、画像データ分割手段１２０には、分割数決定手段１６０によって出力された分割数が入力され、画像データ分割手段１２０は、ライン画像データを入力された分割数に分割するようにしてもよい。
【００１８】
図３は、記憶媒体に記憶されているライン画像データを２分割した様子を示した説明図である。２分割された記憶エリア３００は、分割ライン画像データＬｉｎｅｍ＿１および分割ライン画像データＬｉｎｅｍ＿２（ｍは自然数）によって構成される。なお、アドレスＢＡは、記憶エリア３００の先頭アドレスであり、オフセットアドレスＯＦＡは、１ライン当たりの記憶領域を表すアドレスである。
【００１９】
例えば、分割ライン画像データＬｉｎｅｍ＿１の先頭アドレスは、アドレスＢＡｍであり、分割ライン画像データＬｉｎｅｍ＿２の先頭アドレスは、アドレスＢＡｍ＋オフセットアドレスＯＦＡ／２である。なお、アドレスＢＡｍは、アドレスＢＡ＋オフセットアドレスＯＦＡ×（ｍ―１）で表される。
【００２０】
また、図５は、記憶媒体に記憶されているライン画像データを３分割した様子を示した説明図である。３分割された記憶エリア５００は、分割ライン画像データＬｉｎｅｍ＿１、分割ライン画像データＬｉｎｅｍ＿２、および分割ライン画像データＬｉｎｅｍ＿３（ｍは自然数）によって構成される。なお、アドレスＢＡは、記憶エリア５００の先頭アドレスであり、オフセットアドレスＯＦＡは、１ライン当たりの記憶領域を表すアドレスである。
【００２１】
例えば、分割ライン画像データＬｉｎｅｍ＿１の先頭アドレスは、アドレスＢＡｍであり、分割ライン画像データＬｉｎｅｍ＿２の先頭アドレスは、アドレスＢＡｍ＋オフセットアドレスＯＦＡ／３であり、分割ライン画像データＬｉｎｅｍ＿３の先頭アドレスは、アドレスＢＡｍ＋オフセットアドレスＯＦＡ×２／３である。なお、アドレスＢＡｍは、アドレスＢＡ＋オフセットアドレスＯＦＡ×（ｍ―１）で表される。なお、本発明によれば、ライン画像データを２分割、３分割することは一例であり、分割数は、２、３に限定されることはない。
【００２２】
画像データ読出手段１４０は、画像データ分割手段１２０によって分割された分割ライン画像データおよび分割ライン画像データの端と隣接する周辺画素を読み出し、読み出された分割ライン画像データおよび周辺画素をフィルタ処理手段１５０に出力するようになっている。なお、本発明によれば、読み出された分割ライン画像データは、ライン画像データとして処理されるため、画像処理装置１００が有する１ライン当たりの記憶容量、すなわち不示図のラインＦＩ／ＦＯの容量を増大させずに済む。
【００２３】
図４は、図３に示した記憶エリア３００を読み出す様子を示した説明図である。例えば、画像データ読出手段１４０は、記憶エリア３００の分割ライン画像データＬｉｎｅ１＿１から分割ライン画像データＬｉｎｅｍ＿１までの順番で読み出し、分割ライン画像データＬｉｎｅ１＿２から分割ライン画像データＬｉｎｅｍ＿２までの順番で読み出すようになっている。
なお、図７は、分割ライン画像データを読み出す様子を詳細に示した説明図である。画像データ読出手段１４０が読み出すデータは、周辺画素７１、周辺画素７３、および分割ライン画像データ７２によって構成される。周辺画素サイズａは、分割ライン画像データ７２の端と隣接する周辺画素７３を示すサイズである。
【００２４】
図４に示したように、画像データ読出手段１４０が分割ライン画像データＬｉｎｅｍ＿１を読み出すときには、アドレスＢＡｍ−周辺画素サイズａからアドレスＢＡｍ＋オフセットアドレスＯＦＡ／２＋周辺画素サイズａまでに含まれるデータを読み出すようになっている。分割ライン画像データＬｉｎｅｍ＿２を読み出すときには、アドレスＢＡｍ＋オフセットアドレスＯＦＡ／２−周辺画素サイズａからアドレスＢＡｍ＋オフセットアドレスＯＦＡ＋周辺画素サイズａまでに含まれるデータを読み出すようになっている。
【００２５】
図６は、図５に示した記憶エリア５００を読み出す様子を示した説明図である。例えば、画像データ読出手段１４０は、記憶エリア５００の分割ライン画像データＬｉｎｅ１＿１から分割ライン画像データＬｉｎｅｍ＿１までの順番で読み出し、分割ライン画像データＬｉｎｅ１＿２から分割ライン画像データＬｉｎｅｍ＿２までの順番で読み出し、分割ライン画像データＬｉｎｅ１＿３から分割ライン画像データＬｉｎｅｍ＿３までの順番で読み出すようになっている。なお、周辺画素サイズａは、分割ライン画像データの端と隣接する周辺画素を示すアドレスである。
【００２６】
図６に示したように、画像データ読出手段１４０が分割ライン画像データＬｉｎｅｍ＿１を読み出すときには、アドレスＢＡｍ−周辺画素サイズａからアドレスＢＡｍ＋オフセットアドレスＯＦＡ／３＋周辺画素サイズａまでに含まれるデータを読み出すようになっている。分割ライン画像データＬｉｎｅｍ＿２を読み出すときには、アドレスＢＡｍ＋オフセットアドレスＯＦＡ／３−周辺画素サイズａからアドレスＢＡｍ＋オフセットアドレスＯＦＡ×２／３＋周辺画素サイズａまでに含まれるデータを読み出すようになっている。分割ライン画像データＬｉｎｅｍ＿３を読み出すときには、アドレスＢＡｍ＋オフセットアドレスＯＦＡ×２／３−周辺画素サイズａからアドレスＢＡｍ＋オフセットアドレスＯＦＡ＋周辺画素サイズａまでに含まれるデータを読み出すようになっている。
【００２７】
分割数決定手段１６０は、画像読み取り装置１０が読み取る原稿の原稿サイズまたは記憶媒体の記憶容量に応じて分割数を決定し、決定した分割数を画像データ分割手段１２０に出力するようになっている。
【００２８】
また、本発明によれば、分割数決定手段１６０は、原稿から主走査して読み取った１ライン当たりのライン画像データのサイズが、画像処理装置１００が有する１ライン当たりの記憶容量、すなわちラインＦＩ／ＦＯの容量よりも大きく、かつラインＦＩ／ＦＯの容量の２倍よりも小さい場合には、分割数決定手段１６０は、分割数を２と決定してもよい。また、原稿から主走査して読み取った１ライン当たりのライン画像データのサイズが、画像処理装置１００が有する１ライン当たりのラインＦＩ／ＦＯの容量の２倍よりも大きく、かつラインＦＩ／ＦＯの容量の３倍よりも小さい場合には、分割数決定手段１６０は、分割数を３と決定してもよい。
【００２９】
また、分割数決定手段１６０は、画像読み取り装置１０が読み取る原稿の原稿サイズに応じて、決定してもよい。例えば、Ａ３サイズの用紙を読み取った場合には分割数を２、Ａ２サイズの用紙を読み取った場合には、分割数を３と決定する。
【００３０】
フィルタ処理手段１５０は、例えば、圧縮伸張コントローラ１０３を構成するものである。また、フィルタ処理手段１５０は、画像処理プロセッサ１０２、プロセスコントローラ１０８、もしくはシステムコントローラ１１０に配備されてもよく、フィルタ処理手段１５０を制御可能な部位であれば如何なる部位に配備されてもよい。
【００３１】
フィルタ処理手段１５０には、画像データ読出手段１４０によって出力された分割ライン画像データおよび周辺画素が入力され、フィルタ処理手段１５０は、入力された周辺画素に基づいて分割ライン画像データをフィルタ処理し、フィルタ処理された分割ライン画像データを画像処理プロセッサ１０２に出力するようになっている。ここで、フィルタ処理とは、加重平均フィルタなど画像を平滑化する処理のことである。
【００３２】
例えば、フィルタ処理手段１５０は、画像データ読出手段１４０が図６で示した分割ライン画像データＬｉｎｅｍ＿２を読み出したときの周辺画素に基づいて分割ライン画像データをフィルタ処理する。なお、本発明によれば、フィルタ処理手段１５０が図６で示したような分割ライン画像データＬｉｎｅｍ＿１の左側の画像処理の対象となる画素である対象画素、図６で示した分割ライン画像データＬｉｎｅｍ＿３の右側の対象画素など、すなわちライン画像データの端となる対象画素を対象画素の周辺画素に基づいてフィルタ処理するか否かは、設計事項に依存する。
【００３３】
画像データ変換部１０６には、画像処理プロセッサ１０２によって出力された画像データが入力され、画像データ変換部１０６は、入力された画像データを、用紙に印刷するための印刷信号に変換して作像ユニット２０に出力するようになっている。
【００３４】
ＦＡＸ制御ユニット１０７には、画像処理プロセッサ１０２によって出力された画像データが入力され、ＦＡＸ制御ユニット１０７は、入力された画像データを公衆網（ＰＮ）３０に送信するようになっている。
【００３５】
操作部１０９は、利用者からコピー機能、ＦＡＸ機能、プリンタ機能を操作させるようになっている。
【００３６】
以下、本発明の実施の形態に係る画像処理装置１００の動作について、図面を参照して説明する。
図９は、本発明の実施の形態に係る画像処理装置における動作および画像処理方法の流れを示すフローチャートである。
【００３７】
まず、画像読み取り装置１０が読み取る原稿の原稿サイズまたは画像処理装置１００が有する記憶媒体の記憶容量に応じた分割数が、分割数決定手段１６０によって決定され、画像データ分割手段１２０に出力される（ステップＳ１１）。
【００３８】
画像読み取り装置１０から読み取った画像を構成する各々のラインに含まれる画像データからなるライン画像データは、分割数決定手段１６０が決定した分割数に画像データ分割手段１２０によって分割され、画像データ一時記憶手段１０５に出力される（ステップＳ１２）。また、所定の分割数に画像データ分割手段１２０によって分割され、画像データ一時記憶手段１０５に出力されてもよい。
【００３９】
次に、画像データ分割手段１２０によって出力された分割ライン画像データは、画像データ一時記憶手段１０５によって記憶媒体に一時的に記憶される（ステップＳ１３）。
【００４０】
画像データ一時記憶手段１０５によって記憶された分割ライン画像データおよび分割ライン画像データの端と隣接する周辺画素は、画像データ読出手段１４０によって記憶媒体から読み出され、フィルタ処理手段１５０に出力される（ステップＳ１４）。
【００４１】
引き続き、分割ライン画像データは、フィルタ処理手段１５０によって周辺画素に基づいてフィルタ処理がなされる（ステップＳ１５）。フィルタ処理がなされた分割ライン画像データは、画像処理プロセッサ１０２に出力され、画像処理プロセッサ１０２によって補正処理がなされ後、画像データ変換部１０６に出力される。画像データは、画像データ変換部１０６によって用紙に印刷するための印刷信号に変換され、印刷信号が作像ユニット２０に出力される。
【００４２】
以下、作像ユニット２０の構成および動作について、図面を参照して説明する。
図８は、作像ユニット２０のブロック構成図である、感光体４０３の周りには、帯電手段となる帯電チャージ４０８と、偏向走査型露光手段となる第１の露光装置４２１と、黒色トナーを用いた第１の現像手段となる現像装置４１０と、ライン型露光手段となる第２の露光装置４２０と、赤色トナーを用いた第２の現像手段となる現像装置４１２と、転写チャージャ４１８、クリーニング装置４１４を順に配置している。黒色赤色の２色印刷の場合、第１の露光装置４２１と第２の露光装置４２０は、感光体４０３の外周面における異なる位置で潜像形成するように配置しており、画像処理装置１００によって出力された印刷信号に基づいて赤色用の印刷信号、黒色用の印刷信号に分類して、赤色用の印刷信号から変換した静電潜像を、黒色用の印刷信号から変換した静電潜像より少し遅れたタイミングで感光体４０３に出力するようになっている。
【００４３】
帯電チャージ４０８による一様帯電後に、第１の露光装置４２１によって感光体４０３上に形成された静電潜像は、第１の現像装置４１０によって黒色トナーで顕像化される。また、第２の露光装置４２０によって感光体４０３上に形成された静電潜像は、第２の現像装置４１２によって赤色トナーで顕像化される。そして、給紙コロ４１６によって給紙トレイ４１５から給紙された転写紙４１９は、レジストーラ４１３によって一旦停止された後、感光体４０３上のトナー像の先端と合致するようにタイミングをとってレジストーラ４１３によって転写チャージャ４１８からなる転写部に搬送される。なお、搬送ベルトによって定着装置４１７側に搬送され、定着処理された後、適宜、排紙または再搬送給紙される。このように、黒色赤色の画像が形成される。なお、本実施例では、黒色赤色の２色印刷を例を挙げたが、黒色赤色の２色印刷に限定されずモノクロ印刷でもよい。
【００４４】
以上説明したように、本発明の実施の形態に係る画像処理装置および画像処理方法は、分割ライン画像データの端と隣接する周辺画素を読み出してフィルタ処理するため、分割した境界付近の画像を劣化させずに良好な画像を出力することができ、画像読み取り装置が読み取る原稿の原稿サイズまたは記憶媒体の記憶容量に応じて分割するため、適正かつ良好な画像を出力することができる。
【００４５】
【発明の効果】
以上説明したように、本発明は、分割ライン画像データの端と隣接する周辺画素を読み出してフィルタ処理するため、分割した境界付近の画像を劣化させずに良好な画像を出力する画像処理装置および画像処理方法を提供することができるものである。
【図面の簡単な説明】
【図１】本発明の実施の形態に係る画像処理装置のブロック構成図
【図２】本発明の実施の形態に係る画像処理装置のブロック構成の詳細図
【図３】記憶媒体に記憶されているライン画像データを２分割した様子を示した説明図
【図４】図３に示した記憶エリアを読み出す様子を示した説明図
【図５】記憶媒体に記憶されているライン画像データを３分割した様子を示した説明図
【図６】図５に示した記憶エリアを読み出す様子を示した説明図
【図７】分割ライン画像データを読み出す様子を詳細に示した説明図
【図８】作像ユニットのブロック構成図
【図９】本発明の実施の形態に係る画像処理装置における動作の流れを示すフローチャート
【符号の説明】
１０　画像読み取り装置
２０　作像ユニット
３０　公衆網
４０　パソコン
７１、７３　周辺画素
７２　分割ライン画像データ
１００　画像処理装置
１０１　センサボードユニット
１０２　画像処理プロセッサ
１０３　圧縮伸張コントローラ
１０４　メモリアクセスコントローラ
１０５　画像データ一時記憶手段
１０６　画像データ変換部
１０７　ＦＡＸ制御ユニット
１０８　プロセスコントローラ
１０９　操作部
１１０　システムコントローラ
１２０　画像データ分割手段
１４０　画像データ読出手段
１５０　フィルタ処理手段
１６０　分割数決定手段
３００、５００　記憶エリア
４０３　感光体
４０８　帯電チャージ
４１０　第１の現像装置
４１２　第２の現像装置
４１３　レジストーラ
４１４　クリーニング装置
４１５　給紙トレイ
４１６　給紙コロ
４１７　定着装置
４１８　転写チャージャ
４１９　転写紙
４２０　第２の露光装置
４２１　第１の露光装置
【図１】
2004134824.tif 000003
【図２】
2004134824.tif 000004
【図３】
2004134824.tif 000005
【図４】
2004134824.tif 000006
【図５】
2004134824.tif 000007
【図６】
2004134824.tif 000008
【図７】
2004134824.tif 000009
【図８】
2004134824.tif 000010
【図９】
2004134824.tif 000011